(57)【要約】【課題】付着量を高めるとともに舞い上がりを減らして逆火が起こらないエアゾール噴射装置を提供する。【解決手段】エアゾール容器１１と、エアゾール容器１１の上端部に突出して設けられ且つエアゾール容器１１内のエアゾール内容物を噴出するバルブステム１２と、エアゾール容器１１の前記バルブステム１２に取り付けられ噴口２２を有するアクチュエータ１６と、を備え、ノズル１５の噴口２２が、０．３〜１ｍｍの噴口径で複数個備えられているとともに、バルブステム１２が、０．４５〜０．６ｍｍのステム孔径と、０．６〜０．８ｍｍのアンダータップ孔径と、０．４〜０．５５ｍｍのベーパータップ孔径と、を有するエアゾール噴射装置１０。【選択図】図２
2008168193.tif 000002
【特許請求の範囲】
【請求項１】
エアゾール容器と、
当該エアゾール容器の上端部に突出して設けられ、且つ前記エアゾール容器内のエアゾール内容物を噴出するバルブステムと、
当該エアゾール容器の前記バルブステムに取り付けられ噴口を有するアクチュエータと、を備えたエアゾール噴射装置において、
前記噴口が、０．３〜１ｍｍの噴口径で複数個備えられているとともに、
前記バルブステムが、０．４５〜０．６ｍｍのステム孔径と、
０．６〜０．８ｍｍのアンダータップ孔径と、
０．４〜０．５５ｍｍのベーパータップ孔径と、を有することを特徴とするエアゾール噴射装置。
【請求項２】
前記エアゾール内容物が、粉体を配合した害虫忌避組成物であることを特徴とする請求項１に記載のエアゾール噴射装置。
【発明の詳細な説明】
【技術分野】
【０００１】
本発明は、エアゾール容器に入れられた害虫忌避剤、芳香剤等の薬剤及びこれらの薬剤を噴射するためにエアゾール容器内に充填された噴射剤を含むエアゾール内容物を噴射するエアゾール噴射装置に関する。
【背景技術】
【０００２】
害虫忌避剤や芳香剤等の薬剤を溶剤に溶解した原液と噴射剤とを噴射装置付きの耐圧容器に入れてなるエアゾール製品は、操作が簡単であり、適宜使用できて周囲に汚れを発生させることがない等の利点がある。
【０００３】
このエアゾール噴射装置のうち、複数の噴口を配設したものが知られている（例えば、特許文献１参照）。
【０００４】
【特許文献１】特開２０００−３２５８３４号公報
【発明の開示】
【発明が解決しようとする課題】
【０００５】
しかしながら、特許文献１に開示されたエアゾール噴射装置のように、複数の噴口を設けることで、エアゾール内容物を広い範囲に噴射するとともに付着量を高めることはできるものの、噴射されたエアゾール内容物に何らかの原因により着火した際に、逆火が起こる虞があった。
【０００６】
本発明は、上述した課題に鑑みてなされたものであり、その目的は、付着量を高めるとともに舞い上がりを減らし、且つ逆火が起こらないエアゾール噴射装置を提供することにある。
【課題を解決するための手段】
【０００７】
上記の目的を達成するため、本発明に係るエアゾール噴射装置は、エアゾール容器と、当該エアゾール容器の上端部に突出して設けられ、且つ前記エアゾール容器内のエアゾール内容物を噴出するバルブステムと、当該エアゾール容器の前記バルブステムに取り付けられ噴口を有するアクチュエータと、を備えたエアゾール噴射装置において、前記噴口が、０．３〜１ｍｍの噴口径で複数個備えられているとともに、前記バルブステムが、０．４５〜０．６ｍｍのステム孔径と、０．６〜０．８ｍｍのアンダータップ孔径と、０．４〜０．５５ｍｍのベーパータップ孔径と、を有することを特徴としている。
【０００８】
このため、上記構成のエアゾール噴射装置によれば、複数個の噴口が０．３〜１ｍｍ、好ましくは０．３〜０．５ｍｍの噴口径に設定されているとともに、バルブステムが、０．４５〜０．６ｍｍのステム孔径と、０．６〜０．８ｍｍのアンダータップ孔径と、０．４〜０．５５ｍｍのベーパータップ孔径と、を有すため、複数の噴口を設けていても、エアゾール内容物の付着量を高めることができるとともに舞い上がりを減らし、且つこの効果に加えて逆火が起こらないようにできる。
【０００９】
また、前記エアゾール内容物が、粉体を配合した害虫忌避組成物であることを特徴としている。
【００１０】
上記構成のエアゾール噴射装置によれば、粉体を配合した害虫忌避組成物により、効率良く、安全に害虫の忌避を行うことができる。
【発明の効果】
【００１１】
このため、本発明によれば、エアゾール内容物の付着量を高めるとともに舞い上がりを減らし、屋外での使用に際して粉体の舞い上がりを抑制して衣服等への汚れを防止することができる。またこの効果に加えて、線香、カセットコンロ、ライター、焚き火等の火源が使用者の近くにあっても、逆火を防いで使用の安全性を高めることができる。
【発明を実施するための最良の形態】
【００１２】
以下、本発明に係る好適な実施の形態例を図面に従って詳細に説明する。
【００１３】
図１〜図４は本発明に係るエアゾール噴射装置の一実施形態であり、図１は本発明に係るエアゾール噴射装置の一実施形態を示す外観図、図２は図１のエアゾール噴射装置の縦断面図、図３(Ａ)、(Ｂ)は図１のエアゾール噴射装置におけるノズルのそれぞれ正面図、断面図、図４は図１のエアゾール噴射装置のエアゾールキャップの正面図である。
【００１４】
図１、図２に示されるように、本発明に係る一実施形態であるエアゾール噴射装置１０は、エアゾール内容物（不図示）が充填された中空略円筒形状のエアゾール容器１１と、エアゾール容器１１の上端部の中心付近にエアゾール容器１１の軸方向に沿って突出して設けられ且つ押し下げられることによりエアゾール容器１１内のエアゾール内容物を噴出するバルブステム１２と、エアゾール容器１１の上端部に取り付けられたエアゾールキャップ１３と、を備えている。
【００１５】
エアゾールキャップ１３は、エアゾール容器１１の上端部に嵌着するカバー部１４と、バルブステム１２に連通接続されるノズル１５が装着され且つカバー部１４に揺動自在に支持されてバルブステム１２の上方から係合するアクチュエータ１６と、を備えている。
【００１６】
アクチュエータ１６は、ノズル１５側の前部がヒンジ１７を介して揺動自在になっている。
【００１７】
エアゾールキャップ１３のカバー部１４は、例えば合成樹脂製であって、エアゾール容器１１の上端部に設けられたマウンティングカップ１８に外嵌して係止される基部１９が形成されている。
【００１８】
エアゾールキャップ１３は、アクチュエータ１６の上部に、アクチュエータ１６を覆ってバージンシール２０が一体に形成されている。バージンシール２０は、用時に切断されることでアクチュエータ１６を押下可能とするとともに、使用前におけるエアゾール噴射装置１０の輸送の際等での誤操作を防ぐことができる。
【００１９】
アクチュエータ１６は、バルブステム１２の突出方向（即ち、エアゾール容器１１の軸方向）と略直角に交差するように伸びる流路２１を有し、この流路２１にノズル１５の噴口２２が連通接続されている。
【００２０】
バルブステム１２は、ハウジング２３に組み付けられており、アクチュエータ１６が押下されないときに、ステム孔２４がステムラバー２５で封止されており、エアゾール容器１１と、空隙２６と、ステム中心空隙２７と、は連通されないように構成されている。
【００２１】
バルブステム１２は、アクチュエータ１６が押下されると、スプリング２８が押し縮められながら押し下げられ、ステム孔２４がステムラバー２５から外れて、エアゾール容器１１内と、空隙２６と、ステム中心空隙２７と、が連通されて、エアゾール容器１１内のエアゾール内容物がディップチューブ２９を通じてステム中心空隙２７に供給され、同時にステム中心空隙２７と噴口２２とが連通されることで、噴口２２からエアゾール内容物が噴射される。
【００２２】
そして、バルブステム１２は、ステム孔２４が、０．４５〜０．６ｍｍの範囲に設定されたステム孔径を有して複数個設けられており、またハウジング２３において、エアゾール容器１１の上部にあるガスを空隙２６に供給するための孔であるベーパータップ孔３０が、０．４〜０．５５ｍｍの範囲に設定されたベーパータップ孔径を有し、そしてアンダータップ孔３１が、０．６〜０．８ｍｍの範囲に設定されたアンダータップ孔径を有している。なお、ステム孔２４は１つであってもよいが複数設けた方がよく、本実施形態ではステム孔２４を２つ設けている。
【００２３】
さらに、図３（Ａ），（Ｂ）に示すように、ノズル１５は、流路４２と一端部に壁面４１とを有している。そして、前記壁面４１には噴口２２が配設されており、これら噴口２２の噴口径が、０．３〜１ｍｍの範囲で設定されている。また、噴口２２は複数個設けることができ、この個数としては２〜８個とすればよく、より好ましくは３個とするのがよい。
【００２４】
図４に示すように、ノズル１５がアクチュエータ１６に装着されたエアゾールキャップ１３は、ノズル１５の３個の噴口２２から噴射されるエアゾール内容物を広範囲に噴射させるように、テーパ形状に拡径されている。
【００２５】
本発明においてエアゾール内容物としては、薬剤を含有した原液と、噴射剤とからなり、具体的には以下の各種成分が挙げられる。
【００２６】
薬剤としては、例えば、ユーカリプトール、α−ピネン、ゲラニオール、シトロネラール、カンファー、リナロール、ｐ−メンタン−３，８−ジオール、テルペノール、フタル酸ジオクチル、フタル酸ジブチル、ディート、エチル−ブチルアセチルアミノプロピオネート、２−エチル−１，３−ヘキサジオール、ブチル−３，４−ジヒドロ−２，２−ジメチル−４−オキソ−２Ｈ−プラン−６−カルボキシレート（インダロン）、ｎ−ヘキシルトリエチレングリコールモノエーテル、メチル−６−ｎ−ペンチル−シクロヘキセン−１−カルボキシレート、ジメチルフタレート、ナフタレン、２−エチル−２−ブチル−１，３−プロパンジオール、２，３，４，５−ビス（Δ２−ブチレン）テトラハイドロフルフラール、ジ−ｍ−プロピルイソシンコメロネート、２−（４−エトキシフェニル）−２−メチルプロピル−３−フェノキシベンジルエーテル、１−エチニル−２−メチル−２−ペンテニル−２，２−ジメチル−３−（２´−メチル−１´−プロペニル）シクロプロパンカルボキシレート、トランスフルトリン、メトフルトリン、プロフルトリン等の害虫忌避剤、また、桂皮、樟脳、レモングラス、クローバ、タチジャコウソウ、ジェラニウム、ベルガモント、月桂樹、松、アカモモ、ペニーロイヤル、ユーカリおよびインドセンダン等から取れる精油、抽出液等の天然物由来の害虫忌避成分等が挙げられる。
【００２７】
溶媒としては、水、アルコール類（例えば、メタノール、エタノール、イソプロパノール、エチレングリコール、エチレングリコールモノメチルエーテル等）、ケトン類（例えば、アセトン、メチルエチルケトン、メチルイソブチルケトン等）、エステル類（例えば、酢酸メチル、酢酸エチル、酢酸ブチル等）、エーテル類（例えば、エチルエーテル等）、脂肪族炭化水素類（例えば、ｎ−ヘキサン、ケロシン、灯油、ｎ−ペンタン、イソペンタン、シクロペンタン等）等が挙げられる。
【００２８】
噴射剤としては、例えば、液化石油ガス、プロパン、プロピレン、ｎ−ブタン、イソブタン、ブタジエン、ｎ−ブチレン、イソブチレン、ｎ−ペンタン、イソペンタン、ｎ−ヘキサン、イソヘキサン、ジメチルエーテル、炭酸ガス、窒素ガス、圧縮ガス、フロン代替ガス等が挙げられる。
【００２９】
本発明における原液と噴射剤の割合は、原液７〜５０容量％、好ましくは２０〜５０容量％に対して、噴射剤９３〜５０容量％、好ましくは８０〜５０容量％とするのがよい。さらにエアゾール容器の内圧は、０．０２〜０．３５ＭＰａ／２５℃、好ましくは０．２８〜０．３１ＭＰａ／２５℃として加圧充填するのがよい。
【００３０】
上記の範囲において、原液と噴射剤の割合、内圧を調整することで、本発明のエアゾール噴射装置１０による逆火を抑制する効果をより向上させることができる。
【００３１】
この他にもエアゾール内容物には、例えば、疎水性シリカ、ケイ酸カルシウム、ケイソウ土、高純度シリカ、無水ケイ酸等のケイ酸化合物、タルク、パール末、シルク末等の粉体を配合することができる。特に、ケイ酸化合物を用いることで、べとつき感がより軽減されて使用感がよくなる、害虫忌避効果が持続する等の利点がある。その中でも、比表面積５００ｍ２／ｇ以上のケイ酸化合物がよい。
【００３２】
また、必要に応じて、例えば、ソルビタントリオレエート、ポリオキシエチレンモノオレエート、ポリオキシエチレンノニルフェニルエーテル、ポリオキシエチレン（１０モルから４０モル）硬化ヒマシ油、トリポリオキシエチレンアルキルエーテル、１，３−ブチレングリコール、デカグリセリンモノオレエート、ジオレイン酸プロピレングリコール、ポリオキシエチレン（１６モルから２０モル）ステアリル酸アミド、ポリオキシエチレンポリオキシプロピレングルコール、ポリオキシエチレンラウリルエーテルリン酸、グリセリン脂肪酸エステル、ステアリルアルコール、ポリビニルピロリドン、ラノリン脂肪酸、アクリル重合体等の乳化、可溶化剤、ケイ皮酸系（例えば、パラメトキシケイ皮酸エステル、ジイソプロピルケイ皮酸エステル等）、安息香酸系（例えば、パラアミノ安息香酸等）、ベンゾフェノン系（例えば、２，４−ジヒドロキシベンゾフェノン等）等の紫外線吸収剤や酸化チタン、鉄、金属含有酸化チタン、酸化ジルコニウム、酸化亜鉛、酸化セレン等の紫外線遮断剤を配合してもよい。
【００３３】
なお、上記の各種成分は、本発明の効果を減じさせない範囲で必要に応じて１種または２種以上の組合せて用いることができる。
また、本発明において原液中における薬剤（害虫忌避剤等）は０．１〜２０質量／容量％、好ましくは２〜１５質量／容量％、粉体は０．１〜２０質量／容量％、好ましくは１〜１０質量／容量％、その他の成分は大体０．１〜１０質量／容量％、好ましくは１〜５質量／容量％として用いればよい。
ここで、乳化、可溶化剤および有機溶剤の添加量は特に限定されるものではなく、上記の各種成分の分散性等を考慮して決定される。
【００３４】
さらに、配合可能な殺菌剤としては、例えば、パラ−クロロ−メタキシレノール（ＰＣＭＸ）、２，４，４′−トリクロロ−２′−ハイドロキシジフェニルエーテル（イルガサンＤＰ−３００）、３−ヨード−２−プロピニルブチルカーバメート（トロイサン）等が挙げられる。
【００３５】
また、配合可能な芳香剤としては、例えば、じゃ香、ベルガモット油、シナモン油、シトロネラ油、レモン油、レモングラス油等の天然香料、ピネン、リモネン、リナロール、メントール、ボルネオール、オイゲノール、シトラール、シトロネラール、ヘリオトロピン、ワニリン等の人造香料等が挙げられる。
【００３６】
配合可能な消臭剤としては、例えば、ラウリルメタクリレート、ゲラニルクロトネート、ミリスチン酸アセトフエノン、パラメチルアセトフエノンベンゾアルデヒド等が挙げられる。
【００３７】
（実施例）
以下、実施例により本発明を具体的に説明する。ただし、本発明はこれらの実施例のみに限定されるものではない。
【００３８】
まず、表１を参照して、本発明に係るエアゾール噴射装置の効果を確認するために行った実施例について説明する。なお、表１は実施例１〜１７、比較例１〜７における逆火評価結果表である。
【００３９】
逆火評価は、表１に示すように仕様の異なるエアゾール噴射装置を複数用意し、周知の火炎長測定試験に基づき、火源から１５ｃｍの距離で噴射した前記エアゾール噴射装置をそのまま横にスライド移動させて火源から遠ざけ、そのときの着火、火炎長、逆火を確認して行った。なお、いずれの実施例および比較例においても、ノズルの噴口を３つ備えるものを用意し、その噴口径を０．６ｍｍとして設定した。また、エアゾール内容物の原液を表２に示す。
【００４０】
【表１】
2008168193.tif 000003
【００４１】
【表２】
2008168193.tif 000004
【００４２】
表１から、０．３ｍｍの噴口径を３つ備えたものにおいて、逆火を起こらないようにするには、バブルステムにおいて、ステム孔径を０．４５〜０．６ｍｍ、アンダータップ孔径を０．６〜０．８ｍｍ、ベーパータップ孔径を０．４〜０．５５ｍｍの範囲にそれぞれ設定すればよいことがわかる。
【００４３】
次に表２を参照しながら、さらに本発明に係るエアゾール噴射装置の効果について説明する。なお、表３は表１に示した実施例１０に係る薬剤の舞い上り率測定結果表である。
【００４４】
本発明に係る、ノズルに噴口が３つ設けられたエアゾール噴射装置（表１に示した実施例１０）と、比較例として単一の噴口を有するノズルが取り付けられたもの（それ以外の仕様は実施例１０と同じ）と、をそれぞれ用意して、エアゾール内容物（薬剤）の付着率および舞い上り率測定試験を行った。その試験内容について以下に示す。
【００４５】
［試験］
（試験方法）
１．平均的なひと腕の面積（約５００〜６００ｃｍ２）に相当するアクリル製の筒を用意し、当該筒に向けて薬剤を１０秒噴射する。
２．噴射された薬剤をエタノールで抽出して内部標準物質（フタル酸ジ−ｎ−プロピル）を加える。
３．その後フィルターで濾過して分析サンプルとし、ガスクロマトグラフィーで分析する。
４．分析結果に基づき、薬剤の付着率、薬剤の舞い上り率を算出する。
５．この１〜４の一連の試験を、実施例１０と比較例とに対してそれぞれ３回連続して行い、その３回の平均値を取って結果としてまとめた。
なお、薬剤の付着率と薬剤の舞い上り率とは以下の式により関係付けられる。
薬剤の舞い上り率（％）＝１００−薬剤の付着率（％）
【００４６】
【表３】
2008168193.tif 000005
【００４７】
表３から、単一の噴口を有する比較例は、薬剤の付着率が４０％で低く、舞い上り率が６０％で高くなった。これに対して、実施例１０は、薬剤の付着率が５７％と飛躍的に高くなり、薬剤の舞い上り率が４３％と飛躍的に低くなったことが確認できる。
【００４８】
以上、説明したように、本実施形態のエアゾール噴射装置（１０）によれば、複数個の噴口（２２）が０．３〜１ｍｍの噴口径に設定されているとともに、バルブステム（１２）が、０．４５〜０．６ｍｍのステム孔（２４，２４）径と、０．６〜０．８ｍｍのアンダータップ孔（３１）径と、０．４〜０．５５ｍｍのベーパータップ孔（３０）径と、を有すため、複数の噴口を設けていても、エアゾール内容物の付着量を高めるとともに舞い上がりを減らし、屋外での使用に際して粉体の舞い上がりを抑制して衣服等への汚れを防止することができる。またこの効果に加えて、線香、カセットコンロ、ライター、焚き火等の火源が使用者の近くにあっても、逆火を防いで使用の安全性を高めることができる。
【００４９】
また、エアゾール噴射装置１０によれば、粉体を配合した害虫忌避組成物により、効率良く、安全に害虫の忌避を行うことができる。
【００５０】
なお、本発明は、上述した実施形態に限定されるものではなく、適宜、変形、改良、組み合わせ、等が可能である。その他、前述した実施形態や変形例における各構成要素の材質、形状、寸法、数値、形態、数、配置箇所、等は本発明を達成できるものであれば任意であり、限定されない。
【図面の簡単な説明】
【００５１】
【図１】本発明に係るエアゾール噴射装置の一実施形態を示す外観図である。
【図２】図１のエアゾール噴射装置の縦断面図である。
【図３】（Ａ）は図１のエアゾール噴射装置におけるノズルの正面図、（Ｂ）は（Ａ）の断面図である。
【図４】図１のエアゾール噴射装置のエアゾールキャップの正面図である。
【符号の説明】
【００５２】
１０  エアゾール噴射装置
１１  エアゾール容器
１２  バルブステム
１３  エアゾールキャップ
１６  アクチュエータ
２２  噴口
２４  ステム孔
３０  ベーパータップ孔
３１  アンダータップ孔
【図１】
2008168193.tif 000006
【図２】
2008168193.tif 000007
【図３】
2008168193.tif 000008
【図４】
2008168193.tif 000009